(57)【要約】      （修正有）【課題】画像データの名称を簡易に設定する原稿読取システム、画像形成システム及び画像形成装置を提供する。【解決手段】原稿読取システム４００は、原稿の画像を読み取って画像データを生成する原稿読取部２０と、画像データに付す名称に関する名称データを記憶すると共に、画像データを記憶可能な記憶部と、記憶部に記憶される名称データに基づく名称を表示するタッチパネルと、タッチパネルに表示される名称を選択するテンキー又はタッチパネルと、テンキー又はタッチパネルによって選択された名称を原稿読取部２０によって生成された画像データの名称に設定して、その画像データを記憶部に記憶させる制御部９０と、を備える。【選択図】図３
2013029888.tif 000002
【特許請求の範囲】
【請求項１】
原稿の画像を読み取って画像データを生成する原稿読取部と、
画像データに付す名称に関する名称データを記憶すると共に、画像データを記憶可能な記憶部と、
前記記憶部に記憶される名称データに基づく名称を表示する表示部と、
前記表示部に表示される名称を選択する選択部と、
前記選択部によって選択された名称を前記原稿読取部によって生成された画像データの名称に設定して、当該画像データを前記記憶部に記憶させる制御部と、
を備える原稿読取システム。
【請求項２】
前記原稿読取部によって原稿の画像が読み取られる毎に生成された画像データの生成回数を計数する計数部をさらに備え、
前記制御部は、前記選択部によって選択された名称と、前記計数部によって計数された生成回数とを組み合わせたものを画像データの名称に設定する
請求項１に記載の原稿読取システム。
【請求項３】
前記記憶部に記憶される名称データは、アプリケーションによって作製されたデータであり、
名称データに基づく前記名称は、アプリケーションによって作製された前記データに付された名称のうち当該アプリケーションに対応する拡張子を除いた主要部分である
請求項１又は２に記載の原稿読取システム。
【請求項４】
請求項１から３のいずれか１項に記載の原稿読取システムを備える画像形成システムであって、
前記原稿読取部と、前記表示部と、前記選択部と、前記制御部とは、画像データに基づく画像を被画像形成媒体に形成するエンジン部を備える画像形成装置に配置され、
前記記憶部は、通信ネットワークを介して前記画像形成装置に接続された端末装置に配置される
画像形成システム。
【請求項５】
請求項１から３のいずれか１項に記載の原稿読取システムを備える画像形成装置であって、
前記原稿読取部と、前記記憶部と、前記表示部と、前記選択部と、前記制御部とは、画像データに基づく画像を被画像形成媒体に形成するエンジン部を備える筐体に配置される
画像形成装置。
【発明の詳細な説明】
【技術分野】
【０００１】
本発明は、原稿の画像を読み取って画像データを生成する原稿読取システム、並びに、その原稿読取システムを備える画像形成システム及び画像形成装置に関する。
【背景技術】
【０００２】
複合機等の画像形成装置には、原稿の画像を読み取って画像データを生成する原稿読取部と、生成された画像データを記憶する記憶部とを備えるものがある。このような画像形成装置では、画像データ（第１の画像データ）を記憶部に記憶する場合に、その第１の画像データの名称と同一の名称が設定された他の画像データ（第２の画像データ）が既に記憶部に記憶されているときには、例えば、ユーザーが設定した名称に連番を追加して第１の画像データの名称として設定するものがある（特許文献１参照）。
【先行技術文献】
【特許文献】
【０００３】
【特許文献１】特開２００６−２５２３３１号公報
【発明の概要】
【発明が解決しようとする課題】
【０００４】
しかしながら、特許文献１に記載された画像形成装置では、画像データの名称を設定するために、ユーザーが操作部を操作して文字を入力するのでは手間がかかり、また間違った文字が入力されるおそれがある。さらに、特許文献１に記載された画像形成装置では、原稿読取部によって複数種類の原稿の画像を読み取る毎にユーザーに名称を入力させなければならないので、名称の設定に時間がかかる。
【０００５】
本発明は、画像データの名称を簡易に設定する原稿読取システムを提供することを目的とする。
また、本発明は、その原稿読取システムを備える画像形成システム及び画像形成装置を提供することを目的とする。
【課題を解決するための手段】
【０００６】
本発明は、原稿の画像を読み取って画像データを生成する原稿読取部と、画像データに付す名称に関する名称データを記憶すると共に、画像データを記憶可能な記憶部と、前記記憶部に記憶される名称データに基づく名称を表示する表示部と、前記表示部に表示される名称を選択する選択部と、前記選択部によって選択された名称を前記原稿読取部によって生成された画像データの名称に設定して、当該画像データを前記記憶部に記憶させる制御部と、を備える原稿読取システムに関する。
【０００７】
また、原稿読取システムは、前記原稿読取部によって原稿の画像が読み取られる毎に生成された画像データの生成回数を計数する計数部をさらに備え、前記制御部は、前記選択部によって選択された名称と、前記計数部によって計数された生成回数とを組み合わせたものを画像データの名称に設定することが好ましい。
【０００８】
また、前記記憶部に記憶される名称データは、アプリケーションによって作製されたデータであり、名称データに基づく前記名称は、アプリケーションによって作製された前記データに付された名称のうち当該アプリケーションに対応する拡張子を除いた主要部分であることが好ましい。
【０００９】
また、本発明は、上述した原稿読取システムを備える画像形成システムであって、前記原稿読取部と、前記表示部と、前記操作部と、前記制御部とは、画像データに基づく画像を被画像形成媒体に形成するエンジン部を備える画像形成装置に配置され、前記記憶部は、通信ネットワークを介して前記画像形成装置に接続された端末装置に配置される画像形成システムに関する。
【００１０】
また、本発明は、上述した原稿読取システムを備える画像形成装置であって、前記原稿読取部と、前記記憶部と、前記表示部と、前記操作部と、前記制御部とは、画像データに基づく画像を被画像形成媒体に形成するエンジン部を備える筐体に配置される画像形成装置に関する。
【発明の効果】
【００１１】
本発明によれば、画像データの名称を簡易に設定する原稿読取システム、画像形成システム及び画像形成装置を提供することができる。
【図面の簡単な説明】
【００１２】
【図１】本発明の一実施形態に係る画像形成システムの全体構成を説明するための図である。
【図２】複合機の一例を説明するための図である。
【図３】複合機の機能構成を示すブロック図である。
【図４】操作部について説明するための図である。
【図５】名称データ及びその名称データの名称について説明するための図である。
【図６】画像データの宛先について説明するための図である。
【図７】選択された名称について説明するための図である。
【図８】原稿読取システムの動作について説明するためのフローチャートである。
【発明を実施するための形態】
【００１３】
以下、図面を参照して、本発明の画像形成システムの一実施形態について説明する。まず、図１は、本発明の一実施形態に係る画像形成システム３００の全体構成を説明するための図である。図２は、複合機１の一例を説明するための図である。
【００１４】
図１に示すように、画像形成システム３００は、画像形成装置の一例としての複合機１と、端末装置２００を備える。
端末装置２００は、パーソナルコンピュータ等で構成される。端末装置２００は、ローカルエリアネットワーク等の通信ネットワークＮＷを介して複合機１と通信を行う。端末装置２００では、記憶部２０１に記憶されるアプリケーションが利用されることにより、データが作製され、記憶部２０１に記憶される。そのデータは、例えば、テキストデータや表計算データや画像データ等である。また、記憶部２０１には、複合機１の後述する原稿読取部２０によって読み取られた原稿の画像データを記憶されることが可能である。
【００１５】
図２に示すように、複合機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
原稿排出部１５における複合機本体２の外側には、原稿集積部１６が形成される。原稿集積部１６には、原稿排出部１５から排出された原稿Ｇが積層して集積される。
【００１６】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図２に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１７】
また、原稿読取部２０は、照明部２３と、第１ミラー２４と、第２ミラー２５と、第３ミラー２６と、結像レンズ２７と、撮像部２８とを複合機本体２の内部に備える。照明部２３と第１ミラー２４とは、それぞれ副走査方向Ｘに移動する。第２ミラー２５と第３ミラー２６とは、図２において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１８】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１９】
原稿読取部２０は、後述する制御部９０の制御に基づいて、撮像部２８で生成された画像データを後述するメインメモリー８０、又は端末装置の記憶部２０１に対して出力する。ここで、原稿読取部２０は、例えば、原稿Ｇのコピーやファクシミリが目的の場合には、画像データをメインメモリー８０に送信し、原稿Ｇの画像データを作製することが目的の場合には、画像データを記憶部２０１に送信する。
【００２０】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
用紙排出部３４における複合機本体２の外側には、排紙集積部３５が形成される。排紙集積部３５には、用紙排出部３４から排出された用紙Ｔが積層して集積される。
【００２１】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２２】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図２に示す矢印Ａ方向に進行させるための駆動ローラーである。
【００２３】
転写部５０は、２次転写ローラー５１を備える。２次転写ローラー５１は、中間転写ベルト４８における対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２４】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２５】
次に、複合機１の機能構成について説明する。図３は、複合機１の機能構成を示すブロック図である。図４は、操作部７０について説明するための図である。
複合機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図２を用いて説明した構成要素については、その説明を省略する。
さらに、図３に示すように、複合機１は、上述した機能構成に加えて、操作部７０と、メインメモリー８０と、制御部９０と、インターフェース部１００と、を備える。
【００２６】
図４に示すように、操作部７０は、選択部としても機能するテンキー７１と、表示部及び選択部としても機能するタッチパネル７２と、スタートキー７３と、を備える。テンキー７１は、印刷部数等の数字を入力するために操作される。タッチパネル７２は、種々の機能（一例として、印刷倍率の設定機能や、複数のページを１枚の用紙Ｔに割り付ける機能（２ｉｎ１等））が割り当てられた複数のキー等を表示する。タッチパネル７２に表示されたキーは、種々の機能のうちのいずれかを複合機１に実行させるために操作される。スタートキー７３は、印刷を実行させるために操作される。操作部７０は、いずれかのキーが操作されることにより、このキーが操作されたことを表す信号を制御部９０に供給する。
【００２７】
図３に示すように、メインメモリー８０は、原稿読取部２０によって読み取られた原稿Ｇに基づく画像データを記憶する。また、メインメモリー８０は、複合機１において利用される制御プログラム、及びこの制御プログラムによって利用されるデータ等を記憶する。
【００２８】
インターフェース部１００は、通信ネットワークＮＷに接続される。
制御部９０は、原稿搬送部１０、原稿読取部２０、エンジン部３、操作部７０等を制御する。
【００２９】
このような画像形成システム３００（複合機１）は、本発明の一実施形態に係る原稿読取システム４００を備える。
原稿読取システム４００は、原稿読取部２０と、操作部７０と、制御部９０と、インターフェース部１００と、記憶部２０１と、後述するカウンター１１０（計数部）と、を備える。
以下、原稿読取システム４００について説明する。
【００３０】
原稿読取部２０は、上述したように、原稿Ｇの画像を読み取って画像データを生成する。
記憶部２０１は、上述したように、原稿読取部２０によって生成された画像データを記憶可能である。さらに、記憶部２０１は、画像データに付す名称に関する名称データを記憶する。名称データは、例えば、アプリケーションによって作製されたデータであることが好ましい。具体的な例としては、名称データは、テキストアプリケーションによって作製されたテキストデータ、表計算アプリケーションによって作製された表計算データ、及び画像作製アプリケーションによって作製された画像データ等である。名称データは、記憶部２０１に記憶されるアプリケーションによって作製されたデータばかりでなく、他の端末装置に記憶されるアプリケーションによって作製され、原稿読取システム４００の記憶部２０１にコピー等されたデータであってもよい。また、名称データに基づく名称は、アプリケーションによって作製されたデータに付された名称のうちそのアプリケーションに対応する拡張子を除いた主要部分であることが好ましい。具体的な例としては、名称データのファイル名が「実験レポート．ｔｘｔ」である場合には、その名称データに基づく名称は、拡張子「．ｔｘｔ」を除いた主要部分「実験レポート」である。
【００３１】
操作部７０を構成するタッチパネル７２（表示部）は、記憶部２０１に記憶される名称データに基づく名称を表示する。一例として、図５（Ａ）に示すように、記憶部２０１に４つの名称データ（「実験レポート１．ｔｘｔ」、「実験レポート２．ｔｘｔ」、「実験データ．ｔｘｔ」及び「仕様書．ｔｘｔ」）が記憶されている場合には、図５（Ｂ）に示すように、タッチパネル７２は、名称データそれぞれの名称（「実験レポート１」、「実験レポート２」、「実験データ」及び「仕様書」）を表示する。
【００３２】
また、操作部７０を構成するタッチパネル７２（選択部）又はテンキー７１（選択部）は、タッチパネル７２に表示される名称を選択する。例えば、タッチパネル７２又はテンキー７１がユーザーによって操作されることにより、タッチパネル７２に表示される名称（「実験レポート１」、「実験レポート２」、「実験データ」及び「仕様書」）のうち、いずれか１つの名称「実験レポート１」が選択される。
【００３３】
カウンター１１０は、原稿読取部２０によって原稿の画像が読み取られる毎に生成された画像データの生成回数を計数する。すなわち、カウンター１１０は、原稿Ｇの画像を１部読み取って画像データを生成する毎に、計数を１増加させる。
【００３４】
制御部９０は、タッチパネル７２又はテンキー７１によって選択された名称を原稿読取部２０によって生成された画像データの名称に設定して、その画像データを記憶部２０１に記憶させる。例えば、制御部９０は、タッチパネル７２等によって１つの名称「実験レポート１」が選択された場合に、原稿読取部２０によって読み取られた画像データの名称を「実験レポート１」に設定して、名称が設定された画像データを記憶部２０１に記憶させる。なお、画像データには、選択された名称に加えて、その画像データに対応する拡張子を付すことも可能である。
【００３５】
また、制御部９０は、タッチパネル７２等によって選択された名称と、カウンター１１０によって計数された生成回数とを組み合わせたものを画像データの名称に設定することが好ましい。例えば、タッチパネル７２等により名称として「実験レポート１」が設定され、カウンター１１０によって計数された生成回数が１回の場合には、制御部９０は、「実験レポート１」に生成回数を４桁で表した「０００１」を加えて、「実験レポート１０００１」を画像データの名称として設定する。名称に設定されるカウンター１１０の生成回数（連番）は、上述したような４桁に限定されることはなく、他の桁数であってもよい。
【００３６】
次に、本実施形態における原稿読取システム４００（複合機１）の動作について説明する。図５は、名称データ及びその名称データの名称について説明するための図である。図６は、画像データの宛先について説明するための図である。図７は、選択された名称について説明するための図である。図８は、原稿読取システム４００の動作について説明するためのフローチャートである。
【００３７】
図８に示すステップＳＴ１において、タッチパネル７２又はテンキー７１は、ユーザーに、原稿読取部２０によって生成された画像データの宛先を選択させる。すなわち、図６に示すように、制御部９０は、記憶部２０１に生成されている複数のフォルダ（フォルダ名「Ａ山Ａ男」、「Ｂ川Ｂ雄」、「Ｃ川Ｃ男」、「Ｄ川Ｄ子」、「Ｅ山Ｅ子」、「Ｆ山Ｆ子」）のフォルダ名をタッチパネル７２に表示させる。そして、ユーザーによるタッチパネル７２又はテンキー７１の操作に基づいて、制御部９０は、複数のフォルダ名のうち１つのフォルダ名を選択する。選択されたフォルダ名が付されたフォルダは、画像データが記憶されるフォルダとなる。ここでは、タッチパネル７２等によって「Ａ山Ａ男」のフォルダが選択されたとする。
【００３８】
ステップＳＴ２において、タッチパネル７２は、ステップＳＴ１にて選択された宛先（フォルダ）に記憶されるデータの名称を表示する。すなわち、タッチパネル７２は、図５（Ａ）に示すように、「Ａ山Ａ男」のフォルダに名称データ「実験レポート１．ｔｘｔ」、「実験レポート２．ｔｘｔ」、「実験データ．ｔｘｔ」、「仕様書．ｔｘｔ」が記憶されている場合には、図５（Ｂ）に示すように、それらの名称データの名称「実験レポート１」、「実験レポート２」、「実験データ」、「仕様書」を表示する。ここで、タッチパネル７２に表示される名称は、名称データの拡張子を含んでいてもよいし、図５（Ｂ）に示すように、名称データの拡張子を含んでいなくてもよい。
【００３９】
ステップＳＴ３において、制御部９０は、ユーザーによるタッチパネル７２又はテンキー７１の操作に基づいて、タッチパネル７２に表示される複数の名称の中からいずれか１つを選択する。名称が選択された場合には、タッチパネル７２は、図７に示すように、選択された名称を表示する。
【００４０】
ステップＳＴ４において、原稿読取部２０は、例えば、スタートキー７３が操作されることに基づいて、原稿Ｇの画像を読み取って画像データを生成する。
【００４１】
ステップＳＴ５において、制御部９０は、ＳＴ４において生成された画像データの名称を設定する場合に、連番を加えるか否かを判断する。すなわち、制御部９０は、画像データの名称に連番を加える設定がされている否かを判断する。連番を加えない場合（Ｎｏ）には、処理は、ステップＳＴ６に進む。連番を加える場合（Ｙｅｓ）には、処理は、ステップＳＴ７に進む。
【００４２】
ステップＳＴ６において、制御部９０は、ステップＳＴ３にて選択された名称を画像データの名称に設定する。
【００４３】
一方、ステップＳＴ７において、制御部９０は、ステップＳＴ３にて選択された名称に連番を加えたものを画像データの名称として設定する。すなわち、制御部９０は、カウンター１１０を参照することにより画像データの生成回数を読み出して、その生成回数を、ステップＳＴ３にて選択された名称に加えたものを画像データの名称として設定する。
【００４４】
ステップＳＴ８において、制御部９０は、名称が設定された画像データを記憶部２０１に記憶させる。
【００４５】
以上説明したように、本実施形態の原稿読取システム４００（複合機１）によれば、以下の効果が奏される。
すなわち、本実施形態の原稿読取システム４００は、タッチパネル７２又はテンキー７１によって選択された名称を原稿読取部２０によって生成された画像データの名称に設定して、その画像データを記憶部２０１に記憶させる。この場合、タッチパネル７２等によって選択される名称は、アプリケーションによって作製されたデータに付された名称のうち、そのアプリケーションに対応する拡張子を除いた主要部分であることが好ましい。これにより、原稿読取システム４００は、画像データの名称を簡易に設定することができる。
【００４６】
また、原稿読取システム４００は、タッチパネル７２等によって選択された名称と、カウンター１１０によって計数された生成回数とを組み合わせたものを画像データの名称に設定する。これにより、原稿読取システム４００は、記憶部２０１に記憶される名称データの名称と、原稿読取部２０によって生成された画像データに設定される名称との違いを明確に示すことができる。
【００４７】
なお、本発明は、上述した実施形態に限定されることはなく、種々の形態で実施することができる。
上述した実施形態では、原稿読取部２０と、操作部７０（表示部及び選択部）と、制御部９０とが、画像データに基づく画像を用紙Ｔに形成するエンジン部３を備える画像形成装置（複合機１）に配置され、記憶部２０１が、通信ネットワークを介して複合機１に接続された端末装置２００に配置される例について説明した。しかしながら、原稿読取システム４００は、画像形成装置（複合機）のみに配置されていてもよい。すなわち、原稿読取部と、記憶部と、表示部と、選択部と、制御部とは、画像データに基づく画像を用紙Ｔに形成するエンジン部を備える筐体に配置されていてもよい。この場合、記憶部に記憶された画像データは、ＵＳＢ（Ｕｎｉｖｅｒｓａｌ  Ｓｅｒｉａｌ  Ｂｕｓ）メモリーによって複合機の外部に移動されることが可能である。
【００４８】
また、上述した実施形態では、画像データの名称は、カウンター１１０で計数された生成回数を加えることが可能な例について説明した。しかしながら、本発明においては、カウンター１１０で計数された生成回数に代えて、画像データの名称に原稿読取部２０によって原稿Ｇが読み取られた時刻を加えてもよい。
【００４９】
本実施形態の複合機１は、カラー複合機であるが、この形態に限定されることはなく、モノクロ複合機であってもよい。
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態の複合機１は、用紙Ｔの片面を印刷する構成であるが、これに限定されることはなく、用紙の両面を印刷する構成であってもよい。
【００５０】
また、本発明の画像形成装置は、上述した複合機１に限定されることはない。すなわち、本発明の画像形成装置は、コピー機であってもよく、ファクシミリであってもよい。
また、本実施形態で説明した複合機１は、トナーを利用する形態であるが、本発明はこの形態に限定されることはない。すなわち、画像形成装置は、インクジェットヘッドからインクを吐出して、そのインクを用紙に付着させるインクジェット式の複合機であってもよい。
【００５１】
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。また、被画像形成媒体は、シート状のものに限定されることはなく、ロール状のものであってもよい。
【符号の説明】
【００５２】
１…複合機（画像形成装置）、２０…原稿読取部、７１…テンキー（選択部）、７２…タッチパネル（表示部、選択部）９０…制御部、１１０…カウンター（計数部）、２００…端末装置、２０１…記憶部、３００…画像形成システム、４００…原稿読取システム
【図１】
2013029888.tif 000003
【図２】
2013029888.tif 000004
【図３】
2013029888.tif 000005
【図４】
2013029888.tif 000006
【図５】
2013029888.tif 000007
【図６】
2013029888.tif 000008
【図７】
2013029888.tif 000009
【図８】
2013029888.tif 000010